(57)【特許請求の範囲】
【請求項１】
複数のビデオ・フォーマット用の複数のビデオ・テスト信号を出力可能なビデオ・テスト信号発生装置におけるビデオ・テスト信号の選択方法であって、
ビデオ・フォーマットを選択すると、選択された上記ビデオ・フォーマットにおいて存在するビデオ・テスト信号が表示され、表示された上記ビデオ・テスト信号から所望のものを選択することにより、所望ビデオ・フォーマット用ビデオ・テスト信号が選択される第１処理モードと、
ビデオ・テスト信号を選択すると、選択された上記ビデオ・テスト信号が存在するビデオ・フォーマットが表示され、表示された上記ビデオ・フォーマットから所望のものを選択することにより、所望ビデオ・フォーマット用ビデオ・テスト信号が選択される第２処理モードと
を具え、上記第１処理モードと上記第２処理モードを選択可能としたビデオ・テスト信号の選択方法。
【発明の詳細な説明】
【技術分野】
【０００１】
本発明は、映像機器用のビデオ・テスト信号発生装置におけるビデオ・テスト信号選択方法に関し、特にビデオ・テスト信号を少ない操作で選択可能なビデオ・テスト信号の選択方法に関する。
【背景技術】
【０００２】
テレビジョン放送やパソコン等では、ブラウン管や液晶表示装置等を用いて画像が表示される。こうした表示装置や表示回路が正常に動作しているかどうかを試験するため、複数のビデオ・テスト信号が従来から用いられている。このため、これらビデオ・テスト信号を出力するビデオ・テスト信号発生装置が製造され、放送局やテレビ受像器の製造工場などで使用されている。
【０００３】
テレビジョン放送やパソコン用のビデオ・フォーマットは、多数存在する。例えば、現在のテレビジョン用の代表的なフォーマットとしてはＮＴＳＣ、ＰＡＬ、ＳＥＣＡＭがあり、次世代のＨＤＴＶでは走査方式、画素数等が異なる複数のフォーマットが存在する。また、パソコン用のビデオ・フォーマットには、ＶＧＡ、ＳＶＧＡ、ＸＧＡなどがあり、更に製造メーカによっても微妙に異なっている。
【０００４】
ビデオ・テスト信号にもカラーバー信号、マルチバースト信号など複数のテスト信号が存在する。こうした複数のビデオ・テスト信号を生成可能な装置が、例えば、米国特許第４６３５０９６号（特公平５−８０８７８に対応）に開示されている。
【０００５】
図１は、こうしたビデオ・テスト信号発生装置２６の一例の機能ブロック図である。バス２８には、装置２６の動作を制御するＣＰＵ３０、ビデオ・テスト信号のデータや装置２６が処理するプログラム等を記憶するメモリ（ハードディスク、ＲＡＭなど）と、ビデオ・テスト信号データをアナログの電気信号に変換し、出力するデジタル・アナログ変換回路（ＤＡＣ）が接続されている。また、装置２６をユーザが操作するためのインターフェース４０である操作手段３６及び表示装置３８もバス２８に接続されている。操作手段３６には、回転ノブ、操作キー、ポインティング・デバイス（マウスなど）等が含まれ、必要に応じて表示装置３８と連動し、表示された項目の選択、装置２６への数値入力、各種モードの設定等に使用される。
【特許文献１】米国特許第４６３５０９６号
【発明の開示】
【発明が解決しようとする課題】
【０００６】
現在では、複数ビデオ・フォーマットのそれぞれについて、複数のビデオ・テスト信号を１台で生成可能なビデオ・テスト信号発生装置が製造可能となっている。しかし、１台で多数の信号を生成可能なために、かえって出力するビデオ・テスト信号の選択操作を煩雑にしている。
【０００７】
図２は、従来のビデオ・テスト信号選択処理の流れを示すフローチャートである。ユーザが、所定キー操作等を行うことで処理は開始される（ステップ１２）。すると、ビデオ・テスト信号発生装置は、選択可能なビデオ・フォーマットの一覧又はリストを表示画面に表示し（ステップ１４）、ユーザは一覧から所望のビデオ・フォーマットを選択する（ステップ１６）。続いて、ビデオ・テスト信号発生装置は、選択可能なビデオ・テスト信号の一覧を表示し（ステップ１８）、ユーザは一覧から所望のビデオ・テスト信号を選択する（ステップ２０）。このとき、テスト信号を更に変更したければ（ステップ２２でＹｅｓ）、ステップ２２から再度ステップ２０に戻ってテスト信号を選択できる。ただし、ビデオ・フォーマットは同じままである。もしビデオ・フォーマットを変更したい場合には、所定のキー操作により、ステップ２４からステップ１４に戻って、再度一連の処理を行う。
【０００８】
図２に示す従来の選択方法では、例えば、現在ＮＴＳＣの１００％カラーバー信号を出力しており、次にＰＡＬの１００％カラーバー信号を出力したい場合、即ち、ビデオ・フォーマットだけが異なる場合でも、必ずステップ１４に戻って最初にビデオ・フォーマットを選択し、次に提示される複数のビデオ・テスト信号の一覧から１００％カラーバー信号を再度選択する必要がある。
【０００９】
そこで、複数のビデオ・フォーマット用の複数のビデオ・テスト信号の中から、もっと少ない操作で所望ビデオ・フォーマット用ビデオ・テスト信号を選択できるようにすることが望まれている。
【課題を解決するための手段】
【００１０】
本発明は、複数のビデオ・フォーマット用の複数のビデオ・テスト信号を出力可能なビデオ・テスト信号発生装置におけるビデオ・テスト信号の選択方法に関する。このとき、本発明では、ビデオ・フォーマットを選択すると、選択されたビデオ・フォーマットにおいて存在するビデオ・テスト信号が表示され、表示されたビデオ・テスト信号から所望のものを選択することにより、所望ビデオ・フォーマット用ビデオ・テスト信号が選択される第１処理モードと、ビデオ・テスト信号を選択すると、選択されたビデオ・テスト信号が存在するビデオ・フォーマットが表示され、表示されたビデオ・フォーマットから所望のものを選択することにより、所望ビデオ・フォーマット用ビデオ・テスト信号が選択される第２処理モードとを具えており、これら第１処理モードと第２処理モードを選択可能としている。よって、ユーザの都合に応じて２つの処理のどちらでも利用できるために、所望ビデオ・フォーマット用ビデオ・テスト信号を従来より少ない操作で選択できる。
【００１１】
具体的には、１つめの処理は、フォーマット優先モードと呼んでも良く、ビデオ・フォーマットを選択した後に、そのビデオ・フォーマットに存在するビデオ・テスト信号がビデオ・テスト信号発生装置のインターフェース上に提示され、その中から所望のビデオ・テスト信号を選択することにより、所望ビデオ・フォーマット用ビデオ・テスト信号が選択される。一方、２つめの処理は、テスト信号優先モードと呼んでも良く、ビデオ・テスト信号を選択した後に、そのビデオ・テスト信号が存在するビデオ・フォーマットがインターフェース上に提示され、その中から所望のビデオ・フォーマットを選択することにより、所望ビデオ・フォーマット用ビデオ・テスト信号が選択される。
【００１２】
更に、例えば、フォーマット優先モードにおいては、インターフェース上の所定のキーを押しながら、所望のビデオ・フォーマットに対応するボタン又は画面上のアイコン等を選択すると、続いてそのビデオ・フォーマットに存在するビデオ・テスト信号の一覧又はリストが表示されるようにしても良い。同様に、テスト信号優先モードにおいては、インターフェース上の所定のキーを押しながら、所望のテスト信号に対応するボタン又は画面上のアイコン等を選択すると、続いてそのテスト信号が存在するビデオ・フォーマットの一覧又はリストが表示されるようにしても良い。
【発明を実施するための最良の形態】
【００１３】
本発明では、ビデオ・テスト信号発生装置に設定するビデオ・テスト信号の選択に際して、テスト信号優先モードとフォーマット優先モードの２つの優先モードが設けられる。テスト信号優先モードでは、ビデオ・テスト信号を選択した後にビデオ・フォーマットを選択することにより、所望ビデオ・フォーマット用ビデオ・テスト信号が選択される。一方、フォーマット優先モードでは、ビデオ・フォーマットを選択した後にビデオ・テスト信号を選択することにより、所望ビデオ・フォーマット用ビデオ・テスト信号が選択される。ユーザは、これらのどちらも利用できるので、都合に応じて従来より少ない操作で所望ビデオ・フォーマットのビデオ・テスト信号を選択できる。
【実施例】
【００１４】
図３は、本発明によるビデオ・テスト信号の設定変更方法の一例のフローチャートである。本発明は、ハードウェア的には図１に示す従来のビデオ・テスト信号発生装置２６と同等のもので実現可能である。よって、以下でも、図１に示す機能ブロックを参照しつつ説明する。ただし、装置２６を制御するためのプログラムには、本発明による処理が追加されている。
【００１５】
インターフェース４０を用いて所定操作を行うことにより、ビデオ・テスト信号の選択操作が開始される（ステップ５０）。この所定操作とは、例えば、インターフェース４０上の「ＣＴＲＬ」キーを押しながら、表示画面上に表示されたビデオ・フォーマット又はテスト信号の規格名のボタンを押す（選択する）操作である（以下、ＣＴＲＬキー操作と呼ぶ）。このとき、ビデオ・フォーマットを選択すれば、それだけでステップ５２で「Ｙｅｓ」となってフォーマット優先モードとなりステップ６４に処理が進み、同様にビデオ・テスト信号を選択すれば「Ｎｏ」となってテスト信号優先モードとなってステップ５４に処理が進む。以下では、ステップ５４以下の処理を先に説明する。
【００１６】
上述の如く、表示装置３８の画面上に表示されたビデオ・テスト信号の規格名のボタンを押すと、続いて画面上には、選択されたビデオ・テスト信号が存在するビデオ・フォーマットの一覧が表示される（ステップ５４）。ユーザは、一覧から所望のビデオ・フォーマットを選択する（ステップ５６）。表示画面には、まだ一覧が表示されているので、変更が必要（ステップ５８でＹｅｓ）であれば、何度でもステップ５６に戻ってフォーマットを選択し直せる。これで所望のビデオ・フォーマットが選択されるが、そのビデオ・フォーマットでやはり別のビデオ・テスト信号を選択したくなれば、フォーマット優先モードに移行する操作（例えば、上述のＣＴＲＬキー操作）でステップ６４にジャンプすることもできる。もしフォーマットもテスト信号も所望の選択であれば、そこでビデオ・テスト信号選択操作は終了となる（ステップ６２）。選択が完了したので、ユーザは必要なときに、選択したビデオ・テスト信号を出力する操作を行えば良い。
【００１７】
次にステップ５２又は６０の処理からステップ６４に進んだ場合、例えば表示画面上に表示されたビデオ・フォーマットの規格名のボタンを押して選択した場合には、選択されたビデオ・フォーマットに存在するビデオ・テスト信号の一覧が表示画面上に表示される。ユーザは、一覧から所望のビデオ・テスト信号を選択する。表示画面には、まだ一覧が表示されているので、変更が必要（ステップ６８でＹｅｓ）であれば、何度でもステップ６６に戻ってテスト信号を選択し直せる。これで所望のビデオ・テスト信号が選択されるが、そのビデオ・テスト信号でやはり別のビデオ・フォーマットのものを選択したくなれば、テスト信号優先モードに移行する操作（例えば、上述のＣＴＲＬキー操作）でステップ５４にジャンプすることもできる。もしフォーマットもテスト信号も所望の選択であれば、そこでビデオ・テスト信号選択操作は終了となる（ステップ７２）。選択が完了したので、ユーザは必要なときに、選択したビデオ・テスト信号を出力する操作を行えば良い。
【００１８】
図４は、本発明による方法をステート・ダイアグラムで表したものである。本発明による選択方法では、矢印８０及び８２に示すように、どちらのモードから最初に入っても良い。フォーマット優先モードでは、先に選択したビデオ・フォーマット内で選択可能なテスト信号を何度でも選択可能である（矢印８４）。同様に、テスト信号優先モードでは、先に選択したビデオ・テスト信号が存在するビデオ・フォーマットを何度でも選択可能である（矢印８６）。そして、フォーマット優先モードとテスト信号優先モードは、必要に応じて自由に切り替えられる（矢印８８及び９０）。選択処理が終われば、これらモードから抜けられる（矢印９２及び９４）。
【産業上の利用可能性】
【００１９】
上述のように、本発明によれば、フォーマット優先モードとテスト信号優先モードを都合に応じて用いることで、所望ビデオ・フォーマット用ビデオ・テスト信号を少ない操作で選択可能となる。よって、ＮＴＳＣ、ＰＡＬ、ＳＥＣＡＭからＨＤＴＶ等のテレビ用フォーマット、更にメーカー別でも異なるパソコン用映像信号等、非常に多数の映像信号を扱える表示装置に対して、テスト信号を何度も何度も切り替えて供給しなければならない用途に特に適している。
【図面の簡単な説明】
【００２０】
【図１】ビデオ・テスト信号発生装置の一例の機能ブロック図である。
【図２】ビデオ・テスト信号発生装置が出力するビデオ・テスト信号の設定を変更する従来の方法を示すフローチャートである。
【図３】ビデオ・テスト信号発生装置が出力するビデオ・テスト信号の設定を変更する本発明による方法の一例を示すフローチャートである。
【図４】本発明による方法のステート・ダイアグラムである。
【符号の説明】
【００２１】
２６    ビデオ・テスト信号発生装置
２８    システム・バス
３０    ＣＰＵ
３２    メモリ（ハードディスク、ＲＡＭなど）
３４    デジタル・アナログ変換回路
３６    操作手段（操作キー、回転ノブ等）
３８    表示装置
４０    インターフェース（操作手段、表示装置）
【図１】
0004491552.tif 000002
【図２】
0004491552.tif 000003
【図３】
0004491552.tif 000004
【図４】
0004491552.tif 000005